(57)【要約】【課題】会議システム等において、優先度の高い表示対象とは異なる表示対象に対しても、視認性を高めるように画像処理を行うことを容易にする情報処理装置を提供する。【解決手段】情報処理装置は、第１情報処理装置から画像を受信する情報処理装置であって、前記第１情報処理装置と通信する通信手段と、前記受信した画像に画像処理を行う受信画像処理手段と、前記画像処理された画像を表示する表示手段と、前記表示する画像の少なくとも一部のエリアを選択する選択手段と、を有し、前記受信画像処理手段は、前記選択手段により前記少なくとも一部のエリアが選択された場合、前記選択されたエリアの画像に第１画像処理を行う。【選択図】図３
2016015663.tif 000002
【特許請求の範囲】
【請求項１】
第１情報処理装置から画像を受信する情報処理装置であって、
前記第１情報処理装置と通信する通信手段と、
前記受信した画像に画像処理を行う受信画像処理手段と、
前記画像処理された画像を表示する表示手段と、
前記表示する画像の少なくとも一部のエリアを選択する選択手段と、
を有し、
前記受信画像処理手段は、
前記選択手段により前記少なくとも一部のエリアが選択された場合、前記選択されたエリアの画像に第１画像処理を行う情報処理装置。
【請求項２】
前記第１画像処理は、
前記選択されたエリアの画像の明るさを変更する処理を含む請求項１に記載の情報処理装置。
【請求項３】
前記第１画像処理は、
前記選択されたエリアに所定の画像を表示させる処理を含む請求項１又は２に記載の情報処理装置。
【請求項４】
前記第１画像処理は、
前記選択されたエリアとして所定の表示装置の表示領域が指定された場合、
前記所定の表示装置が表示している画像に基づく表示画像を前記選択されたエリアに表示させる処理を含む請求項３に記載の情報処理装置。
【請求項５】
前記所定の表示装置が表示している画像を画面共有している情報処理装置から、前記所定の表示装置が表示している画像を取得する画像取得手段を有し、
前記画像取得手段は、ＵＳＢインタフェース又はＨＤＭＩインタフェースを介して前記所定の表示装置が表示している画像を取得する請求項４に記載の情報処理装置。
【請求項６】
前記第１情報処理装置から、前記受信する画像に対して第２画像処理を要求する情報を受信した場合、
前記受信画像処理手段は、
前記受信した画像に前記要求された第２画像処理を行う請求項１乃至５のいずれか一項に記載の情報処理装置。
【請求項７】
前記受信画像処理手段は、
前記第２画像処理された画像に、前記第１画像処理された前記選択されたエリアの画像を合成して前記表示する画像を生成する請求項６に記載の情報処理装置。
【請求項８】
前記表示手段に予め定められた複数の利用シーンを選択可能に表示させる表示制御手段を有し、
前記複数の利用シーンの中から選択された利用シーンに対応する利用シーン情報を前記第１情報処理装置に送信する請求項１乃至７のいずれか一項に記載の情報処理装置。
【請求項９】
第１情報処理装置へ画像を送信する情報処理装置であって、
前記情報処理装置は、
前記第１情報処理装置に送信する画像に画像処理を行う送信画像処理手段と、
前記第１情報処理装置から受信した利用シーン情報に応じて、前記送信画像処理手段の処理内容を変更する変更手段と、
を有し、
前記第１情報処理装置から受信した前記利用シーン情報と、前記送信画像処理手段の処理内容とに基づいて、前記第１情報処理装置に画像処理を要求する情報処理装置。
【請求項１０】
画像を送信する第１情報処理装置と、前記画像を受信する第２情報処理装置とを含む会議システムであって、
前記第１情報処理装置は、
前記送信する画像に送信画像処理を行う送信画像処理手段を有し、
前記第２情報処理装置は、
前記受信した画像に画像処理を行う受信画像処理手段と、
前記画像処理された画像を表示する表示手段と、
前記表示する画像の少なくとも一部のエリアを選択する選択手段と、
を有し、
前記受信画像処理手段は、
前記選択手段により前記少なくとも一部のエリアが選択された場合、前記選択されたエリアの画像に所定の画像処理を行うことを特徴とする会議システム。
【発明の詳細な説明】
【技術分野】
【０００１】
本発明は、情報処理装置、及び会議システムに関する。
【背景技術】
【０００２】
インターネット等の通信ネットワークを介して、遠隔地等と会議を行うテレビ会議システムが知られている。このようなテレビ会議システムでは、テレビ会議装置等を用いて参加者の画像や音声等を取得し、通信先のテレビ会議装置等に送信する。また、通信先のテレビ会議装置から受信した画像をディスプレイや、プロジェクタ等の表示装置に表示し、受信した音声をスピーカ等から音声出力する。これにより、テレビ会議システムの参加者は、遠隔地間で実際の会議に近い状態で会議を行うことができる。
【０００３】
このようなテレビ会議システムにおいて、会議画像の中から、参加者の顔、ホワイトボード等の対象を抽出し、抽出した複数の対象の中から最も優先順位が高い対象の画像歪が小さくなるように歪補正を行う技術が知られている（例えば、特許文献１参照）。
【発明の概要】
【発明が解決しようとする課題】
【０００４】
特許文献１に開示された技術では、抽出した複数の対象の中から最も優先順位が高い対象に対して所定の画像処理が行われていた。このように、優先順位が高い対象、例えば、ホワイトボードに対して明るさ調整等の画像処理が行われた場合、人物の画像が暗くなり表情が判り難くなる等、優先順位が高い対象と異なる対象の視認性に影響を与える場合があった。このように、例えば、テレビ会議システム等において、優先度の高い表示対象とは異なる表示対象に対しても、視認性を高めるように画像処理を行うことには困難を伴っていた。
【０００５】
本発明の実施の形態は、上記問題点に鑑みてなされたものであって、会議システム等において、優先度の高い表示対象とは異なる表示対象に対しても、視認性を高めるように画像処理を行うことを容易にする情報処理装置を提供することを目的とする。
【課題を解決するための手段】
【０００６】
上記課題を解決するため、本発明の一実施形態に係る情報処理装置は、第１情報処理装置から画像を受信する情報処理装置であって、前記第１情報処理装置と通信する通信手段と、前記受信した画像に画像処理を行う受信画像処理手段と、前記画像処理された画像を表示する表示手段と、前記表示する画像の少なくとも一部のエリアを選択する選択手段と、を有し、前記受信画像処理手段は、前記選択手段により前記少なくとも一部のエリアが選択された場合、前記選択されたエリアの画像に第１画像処理を行う。
【発明の効果】
【０００７】
本発明の実施の形態によれば、会議システム等において、優先度の高い表示対象とは異なる表示対象に対しても、視認性を高めるように画像処理を行うことを容易にする情報処理装置を提供することができる。
【図面の簡単な説明】
【０００８】
【図１】一実施形態に係る会議システムであるテレビ会議システムの構成例を示す図である。
【図２】一実施形態に係るテレビ会議装置のハードウェア構成例を示す図である。
【図３】一実施形態に係るテレビ会議システムの機能構成図である。
【図４】一実施形態に係るテレビ会議装置の機能構成図である。
【図５】一実施形態に係る利用シーン選択画面の一例を示す図である。
【図６】一実施形態に係るテレビ会議装置（送信側）の処理の流れを示すフローチャートである。
【図７】一実施形態に係るテレビ会議装置（受信側）の処理の流れを示すフローチャートである。
【図８】第１の実施形態に係るテレビ会議システムの処理の概要を説明するための図である。
【図９】第１の実施形態に係るテレビ会議装置（受信側）の処理の流れを示すフローチャートである。
【図１０】第２の実施形態に係るテレビ会議システムの処理の概要を説明するための図である。
【図１１】第２の実施形態に係るテレビ会議装置（受信側）の処理の流れを示すフローチャートである。
【発明を実施するための形態】
【０００９】
以下に、本発明の実施の形態について、添付の図面を参照して説明する。
【００１０】
＜システムの構成＞
図１は一実施形態に係る会議システムであるテレビ会議システムの構成例を示す図である。テレビ会議システム（会議システム）１００は、例えば、インターネット等のネットワーク１０３に接続された複数のテレビ会議装置１０１−１〜１０１−４と、サーバ装置１０２とを備える。尚、以下の説明の中で、複数のテレビ会議装置１０１−１〜１０１−４のうちの任意のテレビ会議装置を示す場合、「テレビ会議装置１０１」を用いる。
【００１１】
テレビ会議装置１０１は、テレビ会議システム１００に対応した端末装置であり、情報処理装置の一例である。テレビ会議装置１０１は、例えば、ＰＣ（Personal Computer）、タブレット端末、スマートフォン等の汎用の情報処理装置であっても良いし、テレビ会議システム１００用の専用端末等であっても良い。尚、テレビ会議装置１０１が汎用の情報処理装置である場合、テレビ会議装置１０１の各機能は、例えば、情報処理装置にインストールされたアプリケーションプログラム等によって実現される。
【００１２】
サーバ装置１０２は、例えば、テレビ会議装置１０１−１〜１０１−４と接続しているか否かの接続状態のモニタ、テレビ会議の開始／終了時の接続制御、テレビ会議中の画像（映像）、音声等のデータ送受信等の制御を行う。
【００１３】
テレビ会議装置１０１は、送信する画像、音声等のデータをサーバ装置１０２に送信し、サーバ装置１０２は受信した画像、音声等のデータを会議に参加している他のテレビ会議装置１０１に配信する。また、会議に参加しているテレビ会議装置１０１は、サーバ装置１０２から配信される画像、音声等のデータを受信する。
【００１４】
例えば、図１のテレビ会議装置１０１−１、１０１−２、１０１−３で会議を行う場合、テレビ会議装置１０１−１が送信したデータは、サーバ装置１０２を介してテレビ会議装置１０１−２、１０１−３に送信され、テレビ会議装置１０１−４には送信されない。同様にテレビ会議装置１０１−２が送信したデータは、サーバ装置１０２を介してテレビ会議装置１０１−１、１０１−３に送信され、テレビ会議装置１０１−４には送信されない。このようにして、例えば、テレビ会議装置１０１−１の利用者は、他のテレビ会議装置１０１−２〜１０１−４の利用者と、リアルタイムに送受信される画像や音声を介してテレビ会議を行うことができる。
【００１５】
尚、図１の構成はあくまで一例である。例えば、テレビ会議システム１００を構成するテレビ会議装置１０１の数は２つ以上の任意の数であって良い。また、テレビ会議装置１０１は、サーバ装置１０２を介さずに、他のテレビ会議装置１０１と通信を行うピアツーピア接続が可能なものであっても良い。さらに、サーバ装置１０２は、複数の情報処理装置で構成されていても良い。
【００１６】
＜ハードウェア構成＞
図２は、一実施形態に係るテレビ会議装置のハードウェア構成例を示す図である。テレビ会議装置１０１は、一般的なコンピュータの構成を有しており、例えば、ＣＰＵ（Central Processing Unit）２０１、メモリ２０２、記録装置２０３、通信Ｉ／Ｆ（Interface）部２０４、カメラ部２０５、マイク部２０６、スピーカ部２０７、表示部２０８、操作部２０９、外部Ｉ／Ｆ部２１０、バス２１１等を有する。
【００１７】
ＣＰＵ２０１は、例えば、記録装置２０３等からプログラムやデータを読み出し、処理を実行することで、テレビ会議装置１０１が備える各機能を実現する演算装置である。ＣＰＵ２０１は、例えば、テレビ会議装置１０１用のプログラムを実行することにより、テレビ会議装置１０１の全体制御、テレビ会議の制御、送受信する画像の画像処理、及び送受信する音声の音声処理等の各機能を実現する。
【００１８】
メモリ２０２は、例えばＲＡＭ（Random Access Memory）、ＲＯＭ（Read Only Memory）等の記憶装置を含む。ＲＡＭは、ＣＰＵ２０１のワークエリア等として利用される揮発性のメモリである。ＲＯＭは、例えば、テレビ会議装置１０１の起動プログラムや、設定値等を記憶する不揮発性のメモリである。記録装置２０３は、例えば、ＣＰＵ２０１が実行する機器制御、テレビ会議制御等のプログラムや、データ等を記録したストレージ装置であり、例えば、ＨＤＤ（Hard Disk Device）、ＳＳＤ（Solid State Drive）、フラッシュＲＯＭ等で構成される。
【００１９】
通信Ｉ／Ｆ部２０４は、テレビ会議装置１０１をネットワーク１０３に接続し、他のテレビ会議装置１０１や、サーバ装置１０２等とデータの送受信を行うための通信部である。通信Ｉ／Ｆ部２０４は、例えば、１０Ｂａｓｅ−Ｔ、１００Ｂａｓｅ−ＴＸ、１０００Ｂａｓｅ−Ｔに対応した有線ＬＡＮ（Local Area network）や、８０２．１１ａ／ｂ／ｇ／ｎに対応した無線ＬＡＮ等のインタフェース等で構成される。
【００２０】
カメラ部２０５は、例えば、テレビ会議の参加者等の画像を撮像する撮像手段である。カメラ部２０５は、撮像した会議の画像等を所定の画像データに変換し、バス２１１等を介してＣＰＵ２０１等に送信する。この時、カメラ部２０５は、例えば、設定されたカメラパラメータ等に基づいて撮像した画像の明るさ等を変更することができる。カメラ部２０５は、例えば、デフォルトのカメラパラメータを有しており、そのカメラパラメータの値は、ＣＰＵ２０１で動作するプログラム等により動的に変更可能である。
【００２１】
マイク部２０６は、例えば、会議参加者の音声を取得し、所定の音声データに変換して、バス２１１等を介して、ＣＰＵ２０１等に送信する。マイク部２０６は、例えば、複数の指向性マイク等を含む。
【００２２】
スピーカ部２０７は、例えば、ＣＰＵ２０１等から受信した所定の音声データを音声に変換して出力する。
【００２３】
表示部２０８は、例えば、ＣＰＵ２０１等から受信した画像データを表示する表示手段であり、例えば、ＬＣＤ（Liquid Crystal Display）ディスプレイ、又は、プロジェクタ等の表示装置である。
【００２４】
操作部２０９は、操作ボタンや、キーボード等、テレビ会議装置１０１がユーザの操作を受付ける手段である。
【００２５】
外部Ｉ／Ｆ部２１０は、他の情報処理装置や、外部機器等と接続し、データ（例えば、画像）の送受信を行う、例えば、ＵＳＢ（Universal Serial Bus）、ＨＤＭＩ（登録商標）（High-Definition Multimedia Interface）等のインタフェースである。
【００２６】
バス２１１は、例えば、アドレス信号、データ信号、及び各種制御信号等を伝達する。
【００２７】
尚、図２において、カメラ部２０５、マイク部２０６、スピーカ部２０７、表示部２０８等は、その一部がテレビ会議装置１０１の本体の外部に接続された外付けの機器であっても良い。或いは、テレビ会議装置１０１に接続されたディスプレイ装置（表示部２０８）が、カメラ部２０５、マイク部２０６、スピーカ部２０７等を内蔵していても良い。
【００２８】
＜機能構成＞
（テレビ会議システムの機能構成）
図３は、一実施形態に係るテレビ会議システムの機能構成図である。図３は、テレビ会議装置１０１−１から、テレビ会議装置１０１−２に画像を送信する場合の機能構成の例を示している。
【００２９】
図３において、送信側のテレビ会議装置１０１−１は、撮像手段３０１、送信画像処理手段３０２、送信手段３０３、変更手段３０４、受信手段３０５を有する。尚、送信手段３０３と受信手段３０５は、１つの通信手段３０６等であっても良い。
【００３０】
また、受信側のテレビ会議装置１０１−２は、受信手段３０７、受信画像処理手段３０８、表示手段３０９、表示制御手段３１０、選択手段３１１、画像取得手段３１２、送信手段３１３を有する。尚、受信手段３０７と送信手段３１３は、１つの通信手段３１４等であっても良い。
【００３１】
撮像手段３０１は、例えば、会議の参加者、ホワイトボード、プロジェクタの投影画像等の会議画像を撮像する手段であり、例えば、図２のカメラ部２０５や、その制御プログラム等により実現される。
【００３２】
送信画像処理手段３０２は、撮像手段３０１が撮像した画像に、例えば、明るさ調整等の画像処理を行う。送信画像処理手段３０２は、例えば、図２のＣＰＵ２０１で動作するプログラム等によって実現される。或いは、送信画像処理手段３０２は、図２のカメラ部２０５等に含まれる、例えば、カメラＤＳＰ（Digital Signal Processor）等の画像処理部であっても良い。尚、送信画像処理手段３０２が行う画像処理は、例えば、輝度調整、コントラスト調整、ガンマ調整等、画像の明るさが実質的に変更される処理を含む。
【００３３】
送信手段３０３は、送信画像処理手段３０２によって画像処理が行われた画像（画像データ）を、サーバ装置１０２を介して、通信先のテレビ会議装置１０１−２に送信する。また、送信手段３０３は、画像データ以外の情報、例えば、通信制御情報や、利用シーン情報等の送信も行うことができる。送信手段３０３は、例えば、図２の通信Ｉ／Ｆ部２０４や、その制御プログラム等により実現される。
【００３４】
変更手段３０４は、予め定められた複数の利用シーンのうちの少なくとも一つの利用シーンを指定する利用シーン情報を受信した場合、受信した利用シーン情報に応じて、送信画像処理手段３０２が行う画像処理の処理内容を変更する。例えば、変更手段３０４は、受信した利用シーン情報に応じて、送信画像処理手段として機能するプログラムの処理内容や、パラメータ等を変更し、撮像された画像の明るさ等を変更する。或いは、変更手段３０４は、受信した利用シーン情報に応じて、カメラ部２０５のカメラパラメータ（例えば、カメラ部２０５のカメラＤＳＰの設定値等）を変更して、撮像された画像の明るさ等を変更するもの等であっても良い。尚、利用シーンについては後述する。
【００３５】
また、変更手段３０４は、通信先の複数のテレビ会議装置１０１から、種類の異なる利用シーン情報を受信した場合、送信画像処理手段３０２の画像処理の内容を、複数の利用シーンに対応した処理内容に変更する。さらに、変更手段３０４は、受信した利用シーン情報と、送信画像処理の処理内容とに基づいて、利用シーン情報を送信したテレビ会議装置１０１に、送信した画像への追加の画像処理を要求する。
【００３６】
ここで、送信画像処理手段３０２が行う画像処理と、利用シーン情報を送信したテレビ会議装置１０１に要求する追加の画像処理について、具体的な例をあげて説明する。
【００３７】
例えば、プロジェクタを利用した会議において、ある拠点ではプロジェクタで投影した画像に着目しており、他の拠点ではプロジェクタで投影した画像を電子データで所持しているため、参加者の表情に着目しているものとする。このように利用シーンが異なる場合、プロジェクタの投影画像に明るさを最適化すると人の顔が暗くなり、また、人の顔に最適化するとプロジェクタの投影画像が白飛びする等、送信画像処理手段３０２の処理だけで異なる利用シーンに対応することは困難である。
【００３８】
そこで、変更手段３０４は、送信画像処理手段３０２の処理内容を、例えば、２つの利用シーン情報に対応する共通の画像処理に変更する。例えば、テレビ会議装置１０１−２から受信した利用シーン情報により「＋５」の明るさ調整が必要であり、テレビ会議装置１０１−３から受信した利用シーン情報により「＋１０」の明るさ調整が必要であるものとする。この場合、変更手段３０４は、送信画像処理手段３０２の処理内容を、共通の画像処理として「＋５」の明るさ補正を行うように変更する。
【００３９】
さらに、変更手段３０４は、必要に応じて、受信側のテレビ会議装置１０１−２、１０１−３等に追加の画像処理を要求する。上記の例では、テレビ会議装置１０１−３から受信した利用シーン情報により「＋１０」の明るさ補正が必要であるのに対して、送信画像処理手段３０２では「＋５」の明るさ補正のみが行われている。この場合、変更手段３０４は、テレビ会議装置１０１−３に対して、追加の画像処理として「＋５」の明るさ補正を要求する。この要求に応じて、テレビ会議装置１０１−３は、受信した画像に対して「＋５」の明るさ補正を行う。
【００４０】
このようにして、本実施形態に係るテレビ会議装置１０１−１は、利用シーンの異なるテレビ会議装置１０１−２、１０１−３等のそれぞれに送信する会議の画像に、適切な画像処理を行うことができるようになる。
【００４１】
尚、このとき、送信側のテレビ会議装置１０１−１で複数の利用シーン情報に対応する共通の画像処理を行うことにより、複数の受信側のテレビ会議装置１０１の画像処理に係る負荷を軽減すると共に、送信画像の白飛びや、黒潰れ等を低減させることができる。
【００４２】
図３に戻ってテレビ会議システム１００の機能構成の説明を続ける。受信手段３０５、３０７は、通信先のテレビ会議装置１０１から送信された、会議の画像や、利用シーン情報等のデータや情報を受信する手段である。受信手段３０５、３０７は、例えば、図２の通信Ｉ／Ｆ部２０４と、その制御プログラム等により実現される。
【００４３】
受信画像処理手段３０８は、受信手段３０７が受信した画像に画像処理を行う手段であり、例えば、図２のＣＰＵ２０１によって実行されるプログラム等によって実現される。
【００４４】
表示手段３０９は、受信画像処理手段３０８によって画像処理された会議の画像を表示する手段であり、例えば、図２の表示部２０８や、図２のＣＰＵ２０１によって実行されるプログラム等により実現される。
【００４５】
表示制御手段３１０は、例えば、ユーザの操作等に応じて、表示手段３０９に前述した予め定められた複数の利用シーンを選択可能に表示する。また、表示制御手段３１０は、ユーザに選択された利用シーンに対応する利用シーン情報を、送信手段３１３及びサーバ装置１０２を介して、通信先のテレビ会議装置１０１−１に送信する。表示制御手段３１０は、例えば、図２のＣＰＵ２０１で動作するプログラム等によって実現される。
【００４６】
選択手段３１１は、表示手段３０９に表示された画像のうち画像処理を行うエリアを選択する手段である。例えば、表示手段３０９に表示された画像にホワイトボードと、人物の顔が含まれており、人物の顔部分の画像を明るくしたい場合、人物の顔が含まれるエリアを選択手段３１１により選択する。このとき、エリアの選択方法は、例えば、マウスや、タッチパネル等の操作デバイスを用いて選択すると良い。或いは、画像認識処理等により自動的に判別を行うものであっても良い。選択手段３１１は、例えば、図２のＣＰＵ２０１で動作するプログラム等によって実現される。
【００４７】
選択手段３１１により、画像処理を行うエリアが選択された場合、受信画像処理手段３０８は、選択されたエリアの画像に所定の画像処理（第１画像処理）を行う。例えば、受信画像処理手段３０８は、人物の顔を含むエリアが選択された場合、選択されたエリアの画像の明るさを調整し、人物の表情が見易いように画像処理を行う。また、画像処理を行った選択されたエリアの画像を、テレビ会議装置１０１−１から受信した画像と合成（例えば、重ね合わせ）して、表示手段が表示する画像を生成する。尚、選択されたエリアの画像の明るさを変更する処理は、所定の画像処理（第１画像処理）の一例である。
【００４８】
所定の画像処理（第１画像処理）は、別の一例として、選択されたエリアに所定の画像を表示させるものであっても良い。例えば、テレビ会議装置１０１−１から受信した会議画像にプロジェクタの表示領域が含まれ、かつ受信した会議画像には人物の表情を重視した画像処理が行われている場合、プロジェクタの表示領域が見難くなる場合がある。このような場合、選択手段３１１によりプロジェクタの表示領域を選択し、選択されたエリアにＰＣ画面共有機能により取得したプロジェクタの表示画像を表示させるものであっても良い。尚、受信画像処理手段３０８は、選択されたエリアに所定の画像を表示させる場合、選択されたエリアの明るさ調整等の画像処理を合わせて行うものであっても良い。
【００４９】
画像取得手段３１２は、テレビ会議で使用するＰＣの画面をテレビ会議装置１０１−２に取り込む画面共有機能を有している。例えば、テレビ会議装置１０１−１が設置された拠点Ａで第１のＰＣとプロジェクタを用いて会議資料を投影しており、テレビ会議装置１０１−２が設置された拠点Ｂの第２のＰＣは、ＰＣ画面共有により第１のＰＣの表示画面（投影画像）を共有しているものとする。このとき、テレビ会議装置１０１−２は、第２のＰＣと例えば、ＵＳＢインタフェース、ＨＤＭＩインタフェース等の外部Ｉ／Ｆ２１０で接続し、第１のＰＣの表示画像（プロジェクタの投影画像）を取得する。テレビ会議装置１０１−２の受信画像処理手段３０８は、取得したプロジェクタの投影画像を、例えば、表示画面から選択されたプロジェクタの表示領域に表示させる。
【００５０】
送信手段３１３は、会議の画像や、利用シーン情報等を、サーバ装置１０２を介してテレビ会議装置１０１−１に送信する手段である。送信手段３１３は、例えば、図２の通信Ｉ／Ｆ部２０４と、その制御プログラム等を含む。尚、受信手段３０７及び送信手段３１３は、１つの通信手段３１４であっても良い。
【００５１】
上記構成により、送信側のテレビ会議装置１０１−１は、撮像手段３０１が撮像した画像に、送信画像処理手段３０２により画像処理を行い、処理された画像を、サーバ装置１０２を介して、通信先のテレビ会議装置１０１−２に送信する。さらに、テレビ会議装置１０１−１は、通信先のテレビ会議装置１０１−２から、利用シーン情報を受信した場合、受信した利用シーン情報に応じて、送信画像処理手段３０２による画像処理の処理内容（例えば、画像の明るさ設定等）を変更する。
【００５２】
また、受信側のテレビ会議装置１０１−２は、通信先のテレビ会議装置１０１−１から、サーバ装置１０２を介して受信した画像を表示手段３０９に表示する。また、通信先のテレビ会議装置１０１−１からの要求に応じて、受信した会議の画像に受信画像処理手段３０８により画像処理を行う。また、テレビ会議装置１０１−２の表示制御手段３１０は、表示手段３０９に予め定められた複数の利用シーンを選択可能に表示し、ユーザに選択された利用シーンの利用シーン情報を、送信手段３１３を介してテレビ会議装置１０１−１に送信する。
【００５３】
これにより、テレビ会議システム１００では、利用シーン情報に応じて、例えば、プロジェクタの表示領域、ホワイトボード、人物の表情等、所定の対象が見易いように画像処理した画像が、受信側のテレビ会議装置１０１−２に表示される。
【００５４】
さらに、本実施の形態では、選択手段３１１により、表示手段３０９が表示する画像の少なくとも一部のエリアを選択し、選択されたエリアに所定の画像処理を行うことができる。
【００５５】
例えば、利用シーンの選択により、プロジェクタの表示領域が見易いように送信側の画像処理が行われており、人物の顔が暗く表情が判り難い場合、選択手段３１１により、人物の顔を含むエリアを選択し、選択したエリアの明るさを変更することができる。これにより、テレビ会議システム１００では、プロジェクタの表示領域と、人物の表情の双方が見易いテレビ会議システム１００を実現することができる。
【００５６】
或いは、利用シーンの選択により、人物の表情が見易いように送信側の画像処理が行われており、プロジェクタの画像が見難い場合、選択手段３１１により、プロジェクタの表示領域を選択し、選択したエリアに所定の画像を表示することができる。好ましくは、ＰＣ画面共有等によりプロジェクタの表示画像を共有しているＰＣ等から、プロジェクタの表示画像を取得し、選択手段３１１に選択されたエリアに表示させると良い。これにより、テレビ会議システム１００では、テレビ会議システム１００では、プロジェクタの表示領域と、人物の表情の双方が見易い画像処理を実現することができる。
【００５７】
（テレビ会議装置の機能構成）
図４は、一実施形態に係るテレビ会議装置の機能構成図である。テレビ会議システム１００では、一般的に、双方向に会議画像の送受信が行われる。従って、テレビ会議装置１０１は、図４に示すように、図３の送信側、及び受信側の各手段を有していることが望ましい。
【００５８】
図４において、テレビ会議装置１０１は、前述した撮像手段３０１、送信画像処理手段３０２、変更手段３０４、受信画像処理手段３０８、表示手段３０９、表示制御手段３１０、選択手段３１１、画像取得手段３１２、通信手段３１４等を有する。尚、送信画像処理手段３０２と、受信画像処理手段３０８は、一つの画像処理手段であっても良い。
【００５９】
＜利用シーンの選択画面＞
ここで、表示制御手段３１０が表示する利用シーンの選択画面について説明する。
【００６０】
図５は、一実施形態に係る利用シーンの選択画面の一例を示す図である。図５の例では、表示制御手段３１０は、表示画面５０１に、利用シーンの選択画面として、会議室環境５０２、会議室環境（ホワイトボードあり）５０３、逆光環境５０４、プロジェクタ環境５０５、プロジェクタ環境（表情重視）５０６等の利用シーンを選択可能に表示させている。
【００６１】
表示画面５０１に表示された利用シーンの選択画面から、会議室環境５０２が選択されると、一般的な会議室の環境に最適な画像となるように画像処理が行われる。例えば、標準的な明るさに画像が調整される。
【００６２】
会議室環境（ホワイトボードあり）５０３が選択されると、一般的な会議室環境でホワイトボードの記載内容が判別し易くなるように画像処理が行われる。例えば、ホワイトボードの画像部分の明るさが所定の範囲内となるように画像全体の明るさを調整する処理等が行われる。
【００６３】
逆光環境５０４が選択されると、表示画像を見たときに逆光となる逆光環境でも、通信先の参加者（発言者）の表情が判りやすくなるように画像処理が行われる。例えば、画像の明るさを明るくする処理、コントラストを高くする処理等が行われる。
【００６４】
プロジェクタ環境５０５が選択されると、プロジェクタで表示した画像が見易くなるように画像処理が行われる。例えば、投影画像の白飛びを低減するため、プロジェクタの表示領域の画像の明るさが所定の明るさ以下となるように調整する処理等が行われる。
【００６５】
プロジェクタ環境（表情重視）５０６が選択されると、プロジェクタで画像を表示した環境で、通信先の参加者の表情が見易くなるように画像処理等が行われる。例えば、参加者の画像の黒潰れを低減するため、参加者の画像部分の明るさが所定の明るさ以上となるように調整する処理等が行われる。
【００６６】
テレビ会議装置１０１のユーザは、例えば、上記複数の利用シーンの中から、図２の操作部２０９、例えば、マウス等のポインティングデバイスや、タッチパネル等を用いて、利用シーンを選択することができる。表示制御手段３１０は、選択された利用シーンを示す利用シーン情報を、送信手段３０３、又は３１０等により、通信先のテレビ会議装置１０１に送信する。
【００６７】
尚、上記複数の利用シーンに対応した画像処理の設定は、例えば、各利用シーンと画像処理内容を対応づけたテーブル情報等を出荷時にテレビ会議装置１０１の記録装置２０３等に予め記憶しておくと良い。
【００６８】
或いは、各利用シーンと画像処理内容を対応づけたテーブル情報等は、サーバ装置１０２等から取得できるものであっても良い。これにより、新たな利用シーンを追加したり、画像処理内容をアップデートしたりすること等が容易となる。
【００６９】
さらに、各利用シーンに対応した画像処理の内容は、例えば、撮像した画像に基づいて、動的にパラメータを決定するものであっても良い。
【００７０】
尚、図５に示す複数の利用シーンは、あくまで一例である。複数の利用シーンは、例えば、プロジェクタ、ディスプレイ等の表示装置の構成を選択するものであっても良いし、会議モード、プレゼンテーションモード等、会議の形態を選択するものであっても良い。さらに、複数の利用シーンは、明るい会議室、暗い会議室、大会議室、小会議室、屋外等、利用環境を選択するもの等であっても良い。
【００７１】
＜基本的な処理の流れ＞
ここでは、テレビ会議システム１００の基本的な処理の流れについて説明する。
【００７２】
図６は、一実施形態に係るテレビ会議装置（送信側）の処理の流れを示すフローチャートである。送信側のテレビ会議装置、例えば、図１のテレビ会議装置１０１−１は、会議が開始すると、デフォルトのカメラパラメータを用いて撮像した会議の画像、又はデフォルトの画像処理を行った会議の画像を、通信先のテレビ会議装置に送信する（ステップＳ６０１）。
【００７３】
また、テレビ会議装置１０１−１は、ステップＳ６０２において、会議が終了したかどうかの判断を行い、会議が終了していない場合、すなわち、会議が継続している場合、会議中の他のテレビ会議装置、例えば、テレビ会議装置１０１−２から受信した利用シーン情報の要求があるかどうかを確認する（ステップＳ６０３）。一方、ステップＳ８０２において、会議が終了している場合、テレビ会議装置１０１−１は、処理を終了する。
【００７４】
ステップＳ６０３において、受信した利用シーン情報がある場合、テレビ会議装置１０１−１は、要求された利用シーン情報が１種類であるかどうかを判断する（ステップＳ６０４）。ステップＳ８０４において、利用シーン情報が１種類である場合、利用シーン情報に対応した送信画像処理（例えば、明るさ変更）を行い、送信画像処理を行った会議の画像を通信先のテレビ会議装置に送信する（ステップＳ６０５）。
【００７５】
一方、ステップＳ８０４において、利用シーン情報が１種類でない場合、すなわち、２種類以上の異なる利用シーン情報がある場合、テレビ会議装置１０１−１は、複数の利用シーン情報に対応した送信画像処理を行う（ステップＳ６０６）。
【００７６】
例えば、図１のテレビ会議装置１０１−２から受信した利用シーン情報により、撮像した画像に＋５の明るさ補正が必要であり、また、テレビ会議装置１０１−３から受信した利用シーン情報により、＋３の明るさ補正が必要であるものとする。この場合、テレビ会議装置１０１−１の変更手段３０４は、上記２つの利用シーン情報に対応する共通の処理として、例えば、＋３の明るさ補正を含むように送信画像処理を変更する。続いて、テレビ会議装置１０１−１は、送信画像処理した画像を通信先のテレビ会議装置に送信する。
【００７７】
さらに、テレビ会議装置１０１−１は、要求された利用シーン情報と、上記複数の利用シーンに対応した送信画像処理の処理内容と基づいて、利用シーン情報を送信したテレビ会議装置１０１の各々に画像処理の処理情報を含む画像処理要求を送信する（ステップＳ６０７）。
【００７８】
例えば、前述したように、テレビ会議装置１０１−２からの利用シーン情報により、＋５の明るさ補正が必要であり、テレビ会議装置１０１−３からの利用シーン情報により、＋３の明るさ補正が必要であるものとする。また、送信画像処理手段３０２により、２つの利用シーン情報に対応する共通の処理として、＋３の明るさ補正が行われたものとする。この場合、テレビ会議装置１０１−１の変更手段３０４は、＋５の明るさ補正が必要な利用シーン情報を送信したテレビ会議装置１０１−２に対して、＋２の追加の明るさ補正を含む画像処理を要求する。一方、テレビ会議装置１０１−１の変更手段３０４は、＋３の明るさ補正が必要な利用シーン情報を送信したテレビ会議装置１０１−３に対しては、既に明るさ補正が完了しているので、画像処理の要求を、例えば、行わない。或いは、テレビ会議装置１０１−１の変更手段３０４は、テレビ会議装置１０１−３に対して、デフォルトの画像処理を要求するもの等であっても良い。
【００７９】
上記処理により、送信側のテレビ会議装置１０１−１は、複数の利用シーン情報に応じた送信画像処理を行い、追加の画像処理が必要なテレビ会議装置１０１−２に対して、追加の画像処理を要求する。
【００８０】
図７は、一実施形態に係るテレビ会議装置（受信側）の処理の流れを示すフローチャートである。受信側のテレビ会議装置、例えば、テレビ会議装置１０１−２は、受信した会議の画像にデフォルトの設定で画像処理を行う（ステップＳ７０１）。尚、このとき、デフォルトの設定による画像処理は、特に何も画像処理を行わないで、画像をスルーさせるもの等であっても良い。
【００８１】
また、テレビ会議装置１０１−２は、ステップＳ７０２において、会議が終了したかどうかの判断を行い、会議が終了していない場合、通信先のテレビ会議装置１０１−１等から画像処理の要求と情報があるかどうかを判断する（ステップＳ７０３）。一方、ステップＳ９０２において、会議が終了している場合、テレビ会議装置１０１−２は、処理を終了する。
【００８２】
ステップＳ７０３において、通信先のテレビ会議装置１０１−１等から、画像処理の要求と情報がある場合、受信した情報に基づいて、受信した会議の画像に画像処理を行い、表示手段３０９に表示する。一方、ステップＳ７０３について、画像処理の要求がない場合、ステップＳ７０２に戻って、処理を繰り返す。
【００８３】
尚、上記説明において、送信側のテレビ会議装置１０１−１が、受信側のテレビ会議装置１０１−２等に画像処理を要求する際、画像処理の要求と共に画像処理の情報を送信するものとして説明を行ったが、これは、あくまで一例である。例えば、送信側のテレビ会議装置１０１−１は、画像処理の要求だけを送信するものであっても良い。この場合、受信側のテレビ会議装置１０１−２等は、画像処理の要求に応じた画像処理パラメータ等の情報を、自装置、又はサーバ装置１０２等に予め記憶しておくと良い。例えば、サーバ装置１０２は、テレビ会議装置１０１−１の画像処理要求に基づいて、サーバ装置１０２が持つデータベースから画像処理パラメータを検出し、検出したパラメータをテレビ会議装置１０１−２に送信するもの等であっても良い。
【００８４】
上記処理により、テレビ会議システム１００は、利用シーンの異なる複数の通信先に対して、撮像した会議の画像に適切な画像処理を行うことができるようになる。
【００８５】
次に、受信側のテレビ会議装置１０１−２において、表示画像から選択したエリアの画像に所定の画像処理を行う処理について説明する。
【００８６】
［第１の実施形態］
＜処理の概要＞
図８は、第１の実施形態に係るテレビ会議システムの処理の概要を説明するための図である。図８は、例えば、図３の撮像手段３０１が撮像した会議画像８０１の一例であり、ホワイトボード８０２、人物Ａ８０３、人物Ｂ８０４が含まれる。この会議画像８０１に対して、利用シーンとして、例えば、図５の会議室環境（ホワイトボードあり）５０３が選択された場合、送信画像処理手段３０２、受信画像処理手段３０８等により、ホワイトボード８０２が見易いように画像処理が行われる。例えば、送信画像処理手段３０２、受信画像処理手段３０８等は、ホワイトボード８０２が見易いように画像全体の明るさを暗くするように画像処理を行う。この処理により、例えば、人物Ａ８０３、人物Ｂ８０４の顔が暗くなり、表情が判り難くなってしまう場合がある。
【００８７】
本実施の形態では、このような場合、例えば、テレビ会議装置１０１−２のユーザは、選択手段３１１により、人物Ａ８０３、人物Ｂ８０４等、又は人物Ａ８０３、人物Ｂ８０４等を含むエリアを選択し、画像処理を要求することができる。尚、このとき、ユーザがエリアを選択する方法は、例えば、マウスや、タッチパネル等のポインティングデバイス（例えば、図２の操作部２０９）を用いて、人物Ａ８０３、人物Ｂ８０４等を含むエリアを選択するものであっても良い。
【００８８】
また、別の好適な一例として、テレビ会議装置１０１−２の選択手段３１１は、画像認識処理等により、人物Ａ８０３、人物Ｂ８０４等、明るさ不足のエリアを検出し、自動的に画像処置を行うエリアとして選択するものであっても良い。
【００８９】
＜処理の流れ＞
図９は、第１の実施形態に係るテレビ会議装置（受信側）の処理の流れを示すフローチャートである。
【００９０】
図３の受信側のテレビ会議装置１０１−２は、テレビ会議装置１０１−１と通信を開始すると、受信した会議の画像にデフォルトの設定で画像処理を行い、表示手段に表示する（ステップＳ９０１）。尚、このとき、デフォルトの設定による画像処理は、特に何も画像処理を行わないで、画像をスルーさせる処理等も含まれる。
【００９１】
また、テレビ会議装置１０１−２は、ステップＳ９０２において、会議が終了したかどうかの判断を行い、会議が終了している場合、処理を終了する。一方、ステップＳ９０２において、会議が終了していない場合、選択手段３１１によってエリアが選択されているか否かを判断する（ステップＳ９０３）。尚、本実施の形態では、表示画像のうち、選択手段３１１によって選択されたエリアに対して、所定の画像処理（第１画像処理）を行い、選択されていないエリアについては所定の画像処理（第１画像処理）を行わない。
【００９２】
ステップＳ９０３において、選択手段３１１によってエリアが選択されていない場合、テレビ会議装置１０１−２は、テレビ会議装置１０１−１から前述した追加の画像処理（第２画像処理）の要求があるか否かを判断する（ステップＳ９０４）。ステップＳ９０４において、テレビ会議装置１０１−１から追加の画像処理（第２画像処理）の要求がない場合、ステップＳ９０２に戻る。一方、ステップＳ９０４において、テレビ会議装置１０１−１から追加の画像処理（第２画像処理）の要求がある場合、受信画像処理手段３０８は、受信した画像に対するデフォルトの設定の画像処理を追加の画像処理（第２画像処理）に変更する。これにより、テレビ会議装置１０１−２は、受信画像処理手段３０８により受信した画像に対して追加の画像処理（第２画像処理）を行い、表示手段３０９に表示し（ステップＳ９０５）、ステップＳ９０２に戻る。
【００９３】
一方、ステップＳ９０３において、選択手段３１１によってエリアが選択されている場合、テレビ会議装置１０１−２は、テレビ会議装置１０１−１から追加の画像処理（第２画像処理）の要求があるか否かを判断する（ステップＳ９０６）。
【００９４】
ステップＳ９０６において、テレビ会議装置１０１−１から追加の画像処理（第２画像処理）の要求がある場合、テレビ会議装置１０１−２は、受信した画像に対するデフォルトの設定の画像処理を追加の画像処理（第２画像処理）に変更し、画像処理を行う（ステップＳ９０７）。また、テレビ会議装置１０１−２は、選択されたエリアの画像に所定の画像処理（第１画像処理）を行う（ステップＳ９０８）。
【００９５】
所定の画像処理（第１画像処理）は、本実施の形態では、選択手段３１１によって選択されたエリアの画像の明るさを変更する処理を含む。例えば、選択されたエリアの画像の輝度（例えば、各画素の輝度の平均値）が所定の値よりも低い場合、各画素の輝度を高くするように第１画像処理を行う。一方、選択されたエリアの画像輝度（例えば、各画素の輝度の平均値）が所定の値よりも高い場合、各画素の輝度を低くするように第１画像処理が行われる。尚、上記の輝度を変更する処理はあくまで一例であり、所定の画像処理（第１画像処理）は、例えば、ガンマ調整、コントラスト調整等、実質的に画像の明るさを変更する、輝度変更以外の処理であっても良い。さらに、所定の画像処理（第１画像処理）は、選択手段３１１によって選択されたエリアの画像の視認性を高める画像処理であれば、明るさ変更以外の画像処理であっても良い。
【００９６】
次に、テレビ会議装置１０１−２は、第２画像処理された画像（全体）と、第１画像処理された選択されたエリアの画像を合成（例えば、重ね合わせ）し、合成された画像を表示手段３０９に表示する（ステップＳ９０９）。その後、ステップＳ９０２に戻る。
【００９７】
一方、ステップＳ９０６において、テレビ会議装置１０１−１から追加の画像処理（第２画像処理）の要求がない場合、テレビ会議装置１０１−２は、選択されたエリアの画像に所定の画像処理（第１画像処理）を行う（ステップＳ９１０）。また、テレビ会議装置１０１−２は、受信画像と、所定の画像処理（第１画像処理）された選択されたエリアの画像とを合成（例えば、重ね合わせ）し、合成された画像を表示手段３０９に表示する（ステップＳ９１１）。その後、ステップＳ９０２に戻る。
【００９８】
上記処理を会議が終了するまで繰り返す。
【００９９】
以上、本実施の形態に係るテレビ会議装置１０１−２によれば、送信側の送信画像処理と、受信側の第２画像処理等により、例えば、ホワイトボード８０２に最適化された表示画像のうち、人物Ａ８０３、人物Ｂ８０４を含むエリア等を選択することができる。また、選択されたエリアの画像を見易くするように第１画像処理（例えば、画像を明るさを調整する処理）を行う。これにより、テレビ会議装置１０１−２は、優先度の高い表示対象（例えば、ホワイトボード）とは異なる表示対象（例えば人物）に対しても、容易に視認性を高めるように画像処理を行うことができるようになる。
【０１００】
［第２の実施形態］
＜処理の概要＞
図１０は、第２の実施形態に係るテレビ会議システムの処理の概要を説明するための図である。図１０は、例えば、図３の表示手段３０９に表示される表示画像１００１の一例であり、人物１００２、テーブル１００３、プロジェクタ１００４、スクリーン等のプロジェクタの表示領域１００５等を含む。尚、プロジェクタの表示領域１００５は、通信先でプロジェクタ１００４が投影している画像の範囲等を示す。
【０１０１】
この表示画像１００１に対して、利用シーンとして、例えば、図５のプロジェクタ環境（表情重視）５０６が選択された場合、送信画像処理手段３０２、受信画像処理手段３０８等により、人物１００２の表情が見易いように画像処理が行われる。例えば、送信画像処理手段３０２、受信画像処理手段３０８等は、人物１００２の表情が見易いように画像全体の明るさを明るくするように画像処理を行う。この処理により、プロジェクタの表示領域の画像が明るくなり過ぎて、表示内容が視認し難くなってしまう場合がある。
【０１０２】
本実施の形態では、このような場合、例えば、テレビ会議装置１０１−２のユーザは、選択手段３１１により、表示画像からプロジェクタの表示領域１００５を選択し、表示領域１００５に所定の画像の表示を要求することができる。好ましくは、要求に応じて表示領域１００５に表示する所定の画像は、プロジェクタ１００４がプロジェクタの表示領域１００５に表示している画像である。
【０１０３】
例えば、テレビ会議装置１０１−２は、プロジェクタ１００４の表示画面を出力している第１のＰＣと画面共有している第２のＰＣから、画像取得手段３１２により、プロジェクタ１００４の表示画面を取得し、プロジェクタの表示領域１００５に表示させる。これにより、人物１００２の表情と、プロジェクタの表示領域１００５との双方が見易いように表示画像を画像処理することができる。
【０１０４】
或いは、プロジェクタの表示領域１００５に表示している画像が、事前に配布された会議資料である場合、受信画像処理手段３０８は、会議資料を表示しているＰＣから、画像取得手段３１２により、会議資料の表示画像を取得するもの等であっても良い。
【０１０５】
図１１は、第２の実施形態に係るテレビ会議装置（受信側）の処理の流れを示すフローチャートである。
【０１０６】
図３の受信側のテレビ会議装置１０１−２は、テレビ会議装置１０１−１と通信を開始すると、受信した会議の画像にデフォルトの設定で画像処理を行い、表示手段に表示する（ステップＳ１１０１）。尚、このとき、デフォルトの設定による画像処理は、特に何も画像処理を行わない、画像をスルーさせる処理等も含む。
【０１０７】
また、テレビ会議装置１０１−２は、ステップＳ１１０２において、会議が終了したかどうかの判断を行い、会議が終了している場合、処理を終了する。一方、ステップＳ１１０２において、会議が終了していない場合、選択手段３１１によってプロジェクタの表示領域１００５が選択されているか否かを判断する（ステップＳ１１０３）。
【０１０８】
尚、選択手段３１１によって選択されたエリアがプロジェクタの表示領域であるか否かは、例えば、エリア選択時に選択肢の表示等によりユーザに選択を促し、ユーザの操作に基づいて判断するものであっても良い。また、別の一例として、受信画像処理手段３０８が画像認識処理によりプロジェクタ等の表示領域を判別するものであっても良い。
【０１０９】
ステップＳ１１０３において、選択手段３１１によってプロジェクタの表示領域１００５が選択されていない場合、テレビ会議装置１０１−２は、テレビ会議装置１０１−１から前述した追加の画像処理（第２画像処理）の要求があるか否かを判断する（ステップＳ１１０４）。ステップＳ１１０４において、テレビ会議装置１０１−１から追加の画像処理（第２画像処理）の要求がない場合、ステップＳ１１０２に戻る。一方、ステップＳ１１０４において、テレビ会議装置１０１−１から追加の画像処理（第２画像処理）の要求がある場合、受信画像処理手段３０８は、受信した画像に、追加の画像処理（第２画像処理）を行いステップＳ１１０２に戻る。
【０１１０】
一方、ステップＳ１１０３において、選択手段３１１によってプロジェクタの表示領域１００５の指定がある場合、テレビ会議装置１０１−１から追加の画像処理（第２画像処理）の要求があるか否かを判断する（ステップＳ１１０６）。
【０１１１】
ステップＳ１１０６において、テレビ会議装置１０１−１から追加の画像処理（第２画像処理）の要求がある場合、受信した画像全体に対して要求された追加の画像処理（第２画像処理）を行う（ステップＳ１１０７）。
【０１１２】
また、追加の画像処理（第２画像処理）が行われた受信画像に、プロジェクタ１００４の表示画像を合成（例えば、重ね合わせ）し、合成された画像を表示手段３０９に表示する（ステップＳ１１０８）。その後、ステップＳ１１０２に戻る。
【０１１３】
一方、ステップＳ１１０６において、テレビ会議装置１０１−１から追加の画像処理（第２画像処理）の要求がない場合、デフォルトの画像処理が行われた受信画像に、プロジェクタ１００４の表示画像を合成（例えば、重ね合わせ）し、合成された画像を表示手段３０９に表示する（ステップＳ１１０９）。その後、ステップＳ１１０２に戻る。
【０１１４】
上記処理を会議が終了するまで繰り返す。
【０１１５】
以上、本実施の形態に係るテレビ会議装置１０１−２は、送信側の送信画像処理、受信側の第１画像処理等により、例えば、人物１００２の表情に最適化された表示画像から、プロジェクタ１００４の表示領域１００５を選択することができる。また、選択されたプロジェクタ１００４の表示領域１００５に、画像取得手段３１２を介して取得した画像を表示させることができる。好ましくは、選択されたプロジェクタ１００４の表示領域１００５に表示させる画像は、プロジェクタ１００４が表示している画像である。テレビ会議装置１０１−２は、プロジェクタ１００４が表示している画像を共有するＰＣと、例えば、ＵＳＢ、ＨＤＭＩ等のインタフェースで接続し、プロジェクタ１００４が表示している画像を取得することができる。
【０１１６】
尚、変形例として、所定の表示装置（例えば、図１０のプロジェクタ１００４）の表示画像を表示する表示領域は、例えば、図１０のテーブル１００３や、壁等、会議の進行に対して影響が少ないエリアに設定（移動）可能なものであっても良い。これにより、例えば、図１０において、人物１００２の顔の一部がプロジェクタ１００４の表示領域と重なっている場合等、人物１００２の顔の表示に影響を与えない領域に、所定の表示装置の画像を表示させることができるようになる。
【０１１７】
尚、第２の実施形態は、第１の実施形態と組み合わせて実施しても良い。
【０１１８】
＜まとめ＞
上記各実施形態に係る情報処理装置（テレビ会議装置１０１−２）は、第１情報処理装置（テレビ会議装置１０１−１）から画像を受信する第２情報処理装置（テレビ会議装置１０１−２）であって、前記第１情報処理装置と通信する通信手段３１４を有する。また、情報処理装置（テレビ会議装置１０１−２）は、前記受信した画像に画像処理を行う受信画像処理手段３０８と、前記画像処理された画像を表示する表示手段３０９と、前記表示する画像の少なくとも一部のエリアを選択する選択手段３１１と、を有する。また、前記受信画像処理手段３０８は、前記選択手段により前記少なくとも一部のエリアが選択された場合、前記選択されたエリアの画像に第１画像処理を行う。
【０１１９】
これにより、テレビ会議装置１０１−２は、例えば、優先度の高い表示対象（例えばホワイトボード）が視認しやすいように画像処理された画像に対して、別の表示対象（例えば人物）を選択し、選択された表示対象に対して第１画像処理を行うことができる。従って、上記各実施形態によれば、優先度の高い表示対象とは異なる表示対象に対しても、視認性を高めるように画像処理を行うことを容易にする情報処理装置（テレビ会議装置１０１−２）を提供することができる。
【０１２０】
好適な一例として、前記第１画像処理は、選択されたエリアの画像の明るさを変更する処理を含む。これにより、例えば、受信した画像が優先度の高い表示対象に合わせて明るさが調整されている場合等、画像全体の明るさを維持しつつ、優先度の低い表示対象を含むエリアに対して明るさ変更等の画像処理を行えるようになる。
【０１２１】
また、別の好適な一例として、前記第１画像処理は、選択されたエリアに所定の画像を表示させる処理を含む。
【０１２２】
また、好ましくは、選択されたエリアは所定の表示装置（例えば、プロジェクタ等）の表示領域であり、受信画像処理手段３０８は、所定の表示装置が表示している画像に基づく表示画像を選択されたエリアに表示させる。これにより、例えば、受信した画像が人物の表情等に合わせて調整されている場合等であっても、所定の表示装置の表示領域に見易い投影画像等を表示させることができる。
【符号の説明】
【０１２３】
１００    テレビ会議システム（会議システム）
１０１    テレビ会議装置（情報処理装置）
１０１−１    テレビ会議装置（第１情報処理装置）
１０１−２    テレビ会議装置（情報処理装置、又は第２情報処理装置）
１０２    サーバ装置
３０１    撮像手段
３０２    送信画像処理手段
３０３    送信手段
３０４    変更手段
３０８    受信画像処理手段
３０９    表示手段
３１０    表示制御手段
３１１    選択手段
３１２    画像取得手段
３０６、３１４    通信手段
【先行技術文献】
【特許文献】
【０１２４】
【特許文献１】特開２０１３−１６９３３号公報
【図１】
2016015663.tif 000003
【図２】
2016015663.tif 000004
【図３】
2016015663.tif 000005
【図４】
2016015663.tif 000006
【図５】
2016015663.tif 000007
【図６】
2016015663.tif 000008
【図７】
2016015663.tif 000009
【図８】
2016015663.tif 000010
【図９】
2016015663.tif 000011
【図１０】
2016015663.tif 000012
【図１１】
2016015663.tif 000013